(57)【要約】【課題】  従来、太陽パネルを支持する屋根構造物架台は、屋根地に設けた複数本の支持金具を介して、屋根瓦に架承する構造である。支持金具は、地面に対して鉛直方向に立設する構造でなく、架台に掛かる荷重は、建屋を支持する柱等の躯体に掛からず、架台の軒先に掛かる状況と成る。太陽パネルの支持に対して安定性を欠くこと、又は地震等の衝撃があった際に、太陽パネルが、架台とともに落下する虞があり、改良の余地がある。【解決手段】  本発明は、屋根地に複数本設けた支持杆の杆部を、地面に対して鉛直方向に立設し、各杆部には、免震装置を具備した複数本の中間支持具を夫々設け、かつ複数本の中間支持具は、地面に対して鉛直方向に立設するとともに、屋根地の流れ方向に多数列に設けた中間支持具間には、太陽パネル用の各縦棧を固止し、縦棧間に、縦棧と直交する屋根地の流れ方向に適宜間隔で多数列の横棧を固止して太陽パネル用の架台を構成する。【選択図】      図７
2011252285.tif 000002
【特許請求の範囲】
【請求項１】
屋根地に複数本設けた支持杆は、その各杆部が、地面に対して鉛直方向に立設するように、その基板部を、前記屋根地に設けた構成であって、
この支持杆は、前記屋根地の流れ方向に、間隔をおいて複数個設けるとともに、この支持杆は、前記屋根地の流れ方向に、間隔をおいて複数列設ける構成であり、
また、この各支持杆の各杆部には、免震装置を具備した複数本の中間支持具をそれぞれ設け、かつこの複数本の中間支持具は、前記地面に対して鉛直方向に立設する構成であり、
この鉛直方向に立設した複数本の中間支持具は、前記屋根地の流れ方向に多数列に設けるとともに、この各列の少なくとも対となった中間支持具間には、太陽パネル用の各縦棧を固止し、かつ他の列の少なくとも対となった中間支持具間には、他の太陽パネル用の各縦棧を固止する構成とし、
この固止した縦棧間に、この縦棧と直交する前記屋根地の流れ方向に適宜間隔で多数列の横棧を固止して太陽パネル用の架台を構成することを特徴とした免震機構を備えた太陽パネル架台の取付け装置。
【請求項２】
請求項１に記載の免震機構を備えた太陽パネル架台の取付け装置であって、
前記支持杆は、屋根地に設けるベースと、このベースに可動自在に枢支した杆部とで構成し、この杆部の可動を利用し、屋根地、又はこの屋根地に葺設した瓦の葺き勾配に対応して、傾き角度を調整可能とすることを特徴とした免震機構を備えた太陽パネル架台の取付け装置。
【請求項３】
請求項１に記載の免震機構を備えた太陽パネル架台の取付け装置であって、
前記免震装置は、前記支持杆に支持される下部ユニットと、この下部ユニットに積層される上部ユニットと、この上部ユニットに立設した取付杆とで構成し、この上下部ユニットの空間に、免震ゴムを収容するとともに、この上下ユニットの間に、上下方向の移動隙間を形成し、また、この下部ユニットと前記取付杆との間に水平方向の移動隙間を形成することを特徴とした免震機構を備えた太陽パネル架台の取付け装置。
【請求項４】
請求項１に記載の免震機構を備えた太陽パネル架台の取付け装置であって、
前記支持杆は、屋根地に設けるベースと、このベースに可動自在に枢支した杆部とで構成し、この杆部は、その下方が、ベースに設けたガイド部に収容されるとともに、この杆部の基端を、ベースに設けた枢支部に枢支し、かつ前記ガイド部に、前記杆部の傾き位置を固定する係止部を設ける構成とすることを特徴とした免震機構を備えた太陽パネル架台の取付け装置。
【請求項５】
請求項１に記載の免震機構を備えた太陽パネル架台の取付け装置であって、
前記支持杆は、屋根地に設けるベースと、このベースに可動自在に枢支した杆部とで構成し、このベースと、杆部との間に防振ゴムを介設する構成とすることを特徴とした免震機構を備えた太陽パネル架台の取付け装置。
【請求項６】
請求項１に記載の免震機構を備えた太陽パネル架台の取付け装置であって、
前記支持杆は、屋根地に設けるベースと、このベースに可動自在に枢支した杆部とで構成し、このベースを、防振ゴムでなる台形状の基材を介して、屋根地に設け、この杆部に、瓦の葺き勾配に対応して、傾き角度を付与することを特徴とした免震機構を備えた太陽パネル架台の取付け装置。
【発明の詳細な説明】
【技術分野】
【０００１】
本発明は、免震機構を備えた太陽パネル架台の取付け装置に関する。
【背景技術】
【０００２】
従来、太陽パネル（ソーラーパネル）、温水器、クーラー等の屋根に設置される構造物（屋根構造物）は、例えば、この屋根構造物を支持する屋根構造物架台（架台とする）は、屋根地（野地板）に設けた複数本の支持金具を介して、この屋根瓦（屋根葺材）に架承する。そして、この架承した架台に、目的とする屋根構造物を取付ける構造である。
【０００３】
そして、従来の架台の支持金具は、地面に対して鉛直方向に立設する構造となっていないので、この架台に掛かる荷重は、建屋を支持する柱等の躯体に掛からず、架台の軒先に（下り傾斜方向）掛かる状況と成る。従って、架台の構造では、屋根構造物の支持に対して安定性を欠くこと、又は地震等の衝撃があった際に、屋根構造物が、架台とともに落下する虞があり、改良の余地がある。
【０００４】
また、従来の支持金具は、免震に対する配慮が十分でないことから、例えば、地震の際に、躯体の震動が、ストレートに屋根構造物に掛かり、その衝撃が大きいこと、又は落下の危険性があり、二次災害の要因となることが考えられる。
【０００５】
上記した状況を踏まえて、これに類する先行文献を、以下に概述する。
【０００６】
文献（１）は、実用新案登録第３０８４６２１号の「太陽熱利用機器取付架台支持装置」であり、この考案は、屋根地に棟方向に長い基盤板を、この屋根の流れ方向に並設して設け、基盤板の適所に複数本の支持ボルトを立設し、この各支持ボルトの上部を瓦の表面に貫設し、この貫設して各支持ボルトの上部で、かつ並設した支持ボルト間に、ソーラーパネル架台を構成する縦棧を螺着する構造である。この文献（１）は、基盤板に立設した各支持ボルトの上部で、かつ並設した支持ボルト間で、縦棧を架承する構造に留まっている。従って、本発明が意図する、鉛直方向への荷重の付与と、免震効果を期待することはできず、改良の余地が考えられない。
【０００７】
また、文献（２）は、実開平１−１５４７１１号の「屋根瓦、タイル等の表面部材を用いた構造物固定部材」であり、この考案は、屋根地を貫通して設けた通しボルトを設け、弾性材料でなる複数のパッキンを利用して、この通しボルトに設けた瓦を弾性的に支持することを特徴とする。この考案は、押しボルトに弾性材料で、構造物に対する免震効果を図るものである。しかし、この考案は、通しボルト自体の免震でないことから、躯体と構造物との間の免震には、十分に機能しないことが考えられる。
【０００８】
文献（３）は、特開平８−２８４３５１号の「太陽電池の屋根上設置方法」であり、この発明は、屋根瓦にベース支持架台を取付ける際に、シリコーンゴムの接着剤で、固止する構造であって、このシリコーンゴムの免震効果を利用して、太陽電池の破損回避を図ることを意図する。しかしながら、接着剤の弾性による免震効果であり、十分に機能しないことが考えられる。
【０００９】
さらに、文献（４）は、特開平８−２８８５３３号の「太陽電池の屋根上設置用アンカーボルト」であり、この発明は、屋根上設置用アンカーボルトを構成する支柱部に、ねじ曲げ形状の振動吸収部を設けた構造である。しかしながら、ねじ曲げ形状の振動吸収部による免震効果であり、十分に機能しないことが考えられる。
【００１０】
【特許文献１】実用新案登録第３０８４６２１号
【特許文献２】実開平１−１５４７１１号
【特許文献３】特開平８−２８４３５１号
【特許文献４】特開平８−２８８５３３号
【発明の概要】
【発明が解決しようとする課題】
【００１１】
以上で説明した文献（１）〜（４）においては、免震効果を期待できる一面を有するが、実際に役立つ免震効果を図るには、更なる改良と、他の機能を付加することが必要となる。そこで、本発明は、支持杆に設ける中間支持具に免震効果を付与することと、この支持杆及び中間支持具を、鉛直方向に設ける構造とし、架台に掛かる荷重を、躯体の鉛直方向に導き、この荷重が地震の際に、落下方向に向かわない構造とすることを目的とする。また、本発明は、前記中間支持具を、上下部ユニットとし、この上下部ユニットが、それぞれ個別に移動することで、さらに免震効果を達成できる特徴がある。
【課題を解決するための手段】
【００１２】
請求項１の発明では、支持杆に設ける中間支持具に免震効果を付与することと、この支持杆及び中間支持具を、鉛直方向に設ける構造とし、架台に掛かる荷重を、躯体の鉛直方向に導き、そして、この荷重が、地震の際に、軒先の落下方向に向かわない構造とすることを目的とする。また、この請求項１の発明では、中間支持具を、上下部ユニットとし、この上下部ユニットが、それぞれ個別に移動することで、さらに免震効果を達成することを意図する。
【００１３】
請求項１は、屋根地に複数本設けた支持杆は、その各杆部が、地面に対して鉛直方向に立設するように、その基板部を、前記屋根地に設けた構成であって、
この支持杆は、前記屋根地の流れ方向に、間隔をおいて複数個設けるとともに、この支持杆は、前記屋根地の流れ方向に、間隔をおいて複数列設ける構成であり、
また、この各支持杆の各杆部には、免震装置を具備した複数本の中間支持具をそれぞれ設け、かつこの複数本の中間支持具は、前記地面に対して鉛直方向に立設する構成であり、
この鉛直方向に立設した複数本の中間支持具は、前記屋根地の流れ方向に多数列に設けるとともに、この各列の少なくとも対となった中間支持具間には、太陽パネル用の各縦棧を固止し、かつ他の列の少なくとも対となった中間支持具間には、他の太陽パネル用の各縦棧を固止する構成とし、
この固止した縦棧間に、この縦棧と直交する前記屋根地の流れ方向に適宜間隔で多数列の横棧を固止して太陽パネル用の架台を構成することを特徴とした免震機構を備えた太陽パネル架台の取付け装置である。
【００１４】
請求項２の発明は、請求項１の目的を達成し、また、この支持杆を、屋根地に安定して取付け、この支持杆の立設の確実性と、この支持杆に掛かる荷重を、確実に躯体に伝達することを意図する。
【００１５】
請求項２は、請求項１に記載の免震機構を備えた太陽パネル架台の取付け装置であって、
前記支持杆は、屋根地に設けるベースと、このベースに可動自在に枢支した杆部とで構成し、この杆部の可動を利用し、屋根地、又はこの屋根地に葺設した瓦の葺き勾配に対応して、傾き角度を調整可能とすることを特徴とした免震機構を備えた太陽パネル架台の取付け装置である。
【００１６】
請求項３の発明は、請求項１の目的を達成し、また、この中間支持具の免震装置の最適な構造の提案と、この中間支持具に掛かる荷重を、確実に躯体に伝達することを意図する。
【００１７】
請求項３は、請求項１に記載の免震機構を備えた太陽パネル架台の取付け装置であって、
前記免震装置は、前記支持杆に支持される下部ユニットと、この下部ユニットに積層される上部ユニットと、この上部ユニットに立設した取付杆とで構成し、この上下部ユニットの空間に、免震ゴムを収容するとともに、この上下ユニットの間に、上下方向の移動隙間を形成し、また、この下部ユニットと前記取付杆との間に水平方向の移動隙間を形成することを特徴とした免震機構を備えた太陽パネル架台の取付け装置である。
【００１８】
請求項４の発明は、請求項１の目的を達成し、また、この支持杆の杆部の傾斜角度を任意に調整可能とすること、この支持杆に掛かる荷重を、確実に躯体に伝達することを意図する。
【００１９】
請求項４は、請求項１に記載の免震機構を備えた太陽パネル架台の取付け装置であって、
前記支持杆は、屋根地に設けるベースと、このベースに可動自在に枢支した杆部とで構成し、この杆部は、その下方が、ベースに設けたガイド部に収容されるとともに、この杆部の基端を、ベースに設けた枢支部に枢支し、かつ前記ガイド部に、前記杆部の傾き位置を固定する係止部を設ける構成とすることを特徴とした免震機構を備えた太陽パネル架台の取付け装置である。
【００２０】
請求項５の発明は、請求項１の目的を達成し、また、この支持杆に設ける免震装置の最も簡単で、低コストの構造の提案と、この支持杆に掛かる荷重を、確実に躯体に伝達することを意図する。
【００２１】
請求項５は、請求項１に記載の免震機構を備えた太陽パネル架台の取付け装置であって、
前記支持杆は、屋根地に設けるベースと、このベースに可動自在に枢支した杆部とで構成し、このベースと、杆部との間に防振ゴムを介設する構成とすることを特徴とした免震機構を備えた太陽パネル架台の取付け装置である。
【００２２】
請求項６の発明は、請求項１の目的を達成し、また、この支持杆の傾斜角度を自由に変更できる構造の提案と、この支持杆に掛かる荷重を、確実に躯体に伝達することを意図する。
【００２３】
請求項６は、請求項１に記載の免震機構を備えた太陽パネル架台の取付け装置であって、
前記支持杆は、屋根地に設けるベースと、このベースに可動自在に枢支した杆部とで構成し、このベースを、防振ゴムでなる台形状の基材を介して、屋根地に設け、この杆部に、瓦の葺き勾配に対応して、傾き角度を付与することを特徴とした免震機構を備えた太陽パネル架台の取付け装置である。
【発明の効果】
【００２４】
請求項１の発明は、屋根地に複数本設けた支持杆は、各杆部が、地面に対して鉛直方向に立設するように、基板部を、屋根地に設けた構成であって、
支持杆は、屋根地の流れ方向に、間隔をおいて複数個設けるとともに、支持杆は、屋根地の流れ方向に、間隔をおいて複数列設ける構成であり、
また、各支持杆の各杆部には、免震装置を具備した複数本の中間支持具をそれぞれ設け、かつ複数本の中間支持具は、地面に対して鉛直方向に立設する構成であり、
鉛直方向に立設した複数本の中間支持具は、屋根地の流れ方向に多数列に設けるとともに、各列の少なくとも対となった中間支持具間には、太陽パネル用の各縦棧を固止し、かつ他の列の少なくとも対となった中間支持具間には、他の太陽パネル用の各縦棧を固止する構成とし、
固止した縦棧間に、縦棧と直交する屋根地の流れ方向に適宜間隔で多数列の横棧を固止して太陽パネル用の架台を構成することを特徴とした免震機構を備えた太陽パネル架台の取付け装置である。
【００２５】
従って、請求項１では、支持杆に設ける中間支持具に免震効果を付与することと、この支持杆及び中間支持具を、鉛直方向に設ける構造とし、架台に掛かる荷重を、躯体の鉛直方向に導き、そして、この荷重が、地震の際に、軒先の落下方向に向かわない構造と提供できる。また、この請求項１では、中間支持具を、上下部ユニットとし、この上下部ユニットが、それぞれ個別に移動することで、さらに免震効果を達成できることが期待できる。
【００２６】
請求項２の発明は、請求項１に記載の免震機構を備えた太陽パネル架台の取付け装置であって、
支持杆は、屋根地に設けるベースと、ベースに可動自在に枢支した杆部とで構成し、この杆部の可動を利用し、屋根地、又は屋根地に葺設した瓦の葺き勾配に対応して、傾き角度を調整可能とすることを特徴とした免震機構を備えた太陽パネル架台の取付け装置である。
【００２７】
従って、請求項２は、請求項１の目的を達成できること、また、この支持杆を、屋根地に安定して取付け、この支持杆の立設の確実性と、この支持杆に掛かる荷重を、確実に躯体に伝達できること、等の特徴がある。
【００２８】
請求項３の発明は、請求項１に記載の免震機構を備えた太陽パネル架台の取付け装置であって、
免震装置は、支持杆に支持される下部ユニットと、下部ユニットに積層される上部ユニットと、上部ユニットに立設した取付杆とで構成し、上下部ユニットの空間に、免震ゴムを収容するとともに、上下ユニットの間に、上下方向の移動隙間を形成し、また、下部ユニットと取付杆との間に水平方向の移動隙間を形成することを特徴とした免震機構を備えた太陽パネル架台の取付け装置である。
【００２９】
従って、請求項３は、請求項１の目的を達成できること、また、この中間支持具の免震装置の最適な構造の提案と、この中間支持具に掛かる荷重を、確実に躯体に伝達できること、等の特徴がある。
【００３０】
請求項４の発明は、請求項１に記載の免震機構を備えた太陽パネル架台の取付け装置であって、
支持杆は、屋根地に設けるベースと、ベースに可動自在に枢支した杆部とで構成し、杆部は、その下方が、ベースに設けたガイド部に収容されるとともに、杆部の基端を、ベースに設けた枢支部に枢支し、かつガイド部に、杆部の傾き位置を固定する係止部を設ける構成とすることを特徴とした免震機構を備えた太陽パネル架台の取付け装置である。
【００３１】
従って、請求項４は、請求項１の目的を達成できること、また、この支持杆の杆部の傾斜角度を任意に調整可能となること、この支持杆に掛かる荷重を、確実に躯体に伝達できること、等の特徴を有する。
【００３２】
請求項５の発明は、請求項１に記載の免震機構を備えた太陽パネル架台の取付け装置であって、
支持杆は、屋根地に設けるベースと、ベースに可動自在に枢支した杆部とで構成し、ベースと、杆部との間に防振ゴムを介設する構成とすることを特徴とした免震機構を備えた太陽パネル架台の取付け装置である。
【００３３】
従って、請求項５は、請求項１の目的を達成できること、また、この支持杆に設ける免震装置の最も簡単で、低コストの構造の提案と、この支持杆に掛かる荷重を、確実に躯体に伝達できること、等の特徴を有する。
【００３４】
請求項６の発明は、請求項１に記載の免震機構を備えた太陽パネル架台の取付け装置であって、
支持杆は、屋根地に設けるベースと、ベースに可動自在に枢支した杆部とで構成し、ベースを、防振ゴムでなる台形状の基材を介して、屋根地に設け、杆部に、瓦の葺き勾配に対応して、傾き角度を付与することを特徴とした免震機構を備えた太陽パネル架台の取付け装置である。
【００３５】
従って、請求項６は、請求項１の目的を達成できること、また、この支持杆の傾斜角度を自由に変更できる構造の提案と、この支持杆に掛かる荷重を、確実に躯体に伝達できること、等の特徴を有する。
【図面の簡単な説明】
【００３６】
【図１】太陽パネルを屋根に設置する状態の概念を示した俯瞰図
【図２−１】瓦を複数枚取外した状態の俯瞰図
【図２−２】図２−１の瓦を複数枚取外した後に、接着剤を塗布した状態の俯瞰図
【図２−３】図２−２の接着剤を塗布した後に、その上にモルタルを塗布した状態の俯瞰図
【図２−４】図２−３のモルタルを塗布した後に、その上に接着剤を塗布した状態の俯瞰図
【図２−５】図２−４の接着剤を塗布した後に、支持杆のベースを接着する状態の俯瞰図
【図２−６】図２−５の支持杆をベースに接着した後に、瓦を葺設して屋根地を隠蔽した状態の俯瞰図
【図３】支持杆の好ましい一例を示した拡大斜視図
【図４】図２−６の支持杆を、屋根地に設けたモルタル等を介して設け、かつ瓦の表面に上方が貫設した状態の拡大断面図
【図５】第一実施例の中間支持具を示した拡大斜視図
【図６】図５の一部欠截の断面図
【図７】第一実施例の中間支持具を利用し、縦棧を瓦の上方に固止した（取付けた）状態の俯瞰図
【図８】屋上、又は屋根に設けた支持杆に、第一実施例の中間支持具を被嵌した（取付けた）状態の俯瞰図
【図９】第一実施例の中間支持具を利用し、太陽パネルを取付けた状態の側面模式図
【図１０】第二実施例の中間支持具を示した拡大斜視図
【図１１】図１０の一部欠截の断面図
【図１２】第二実施例の中間支持具を利用し、縦棧を固止できる（取付けできる）状態とした俯瞰図
【図１３−１】第二実施例の支持杆を示した拡大断面図
【図１３−２】第二実施例の支持杆の屋根地への設置の一例を示した拡大断面図
【図１４】第三実施例の支持杆を示した断面図
【図１５−１】第四実施例の支持杆を示した俯瞰図
【図１５−２】図１５−１の要部の拡大俯瞰図
【図１６】スペーサを介して、第五実施例の支持金具を取付けた状態の拡大俯瞰図
【図１７−１】スペーサを介して、第六実施例の支持金具を取付けた状態の拡大俯瞰図
【図１７−２】図１７−１の使用状態を示した縮尺俯瞰図
【発明を実施するための形態】
【００３７】
以下、本発明の好ましい、一例を説明する。
【００３８】
１は支持杆で、この支持杆１は、方形状のベース１００と、このベース１００に所定の角度２で立設した杆部１０１とで構成する。そして、このベース１００には、ベース固定用の釘（固定具）の差込用、又はモルタルＭ挿入用として利用できる孔１０２を無複数開設する。尚、この杆部１０１は、図示の如く、長方形の軒先方向に対して、例えば、屋根勾配４寸５分の例では、１７°の傾斜、また、某社用の屋根勾配６寸１５４分の例では、２５°の傾斜とする。また、図面中に軒先方向を示している。
【００３９】
そして、この支持杆１を屋根地Ｇに設ける一例を、図２−１〜図２−６を、主体に説明すると、図２−１の如く、屋根地Ｇの瓦Ｇ１、Ｇ２を複数枚取外した状態において、図２−２の如く、瓦Ｇ１を複数枚取外した後に、接着剤Ｇ３を塗布する。この複数枚とする目的は、支持杆１を固定するに十分なエリアーを確保し、同時に、この支持杆１が差込まれる瓦Ｇ１の周辺の瓦ジー２を屋根地Ｇに安定して葺設し、例えば、台風、又は地震等の際に、崩壊、破壊又は剥離（落下）をできる限り回避し、又は飛散（煽り）等をできる限り回避することで、主体となる瓦Ｇ１を保護することにある。続いて、図２−３の如く、屋根地Ｇに接着剤Ｇ３を塗布した後に、その上にモルタルＭを塗布する。そして、図２−４の如く、モルタルＭを塗布した後に、その上に接着剤Ｇ３を塗布する。その後、図２−５の如く、この接着剤Ｇ３の上に、支持杆１のベース１００を接着する。この接着状態が固化した状態で、取外した瓦Ｇ１、Ｇ２を所定の処に葺設し、ベース１００を複数枚の瓦Ｇ１、Ｇ２で隠蔽する。尚、ベース１００を隠蔽する瓦Ｇ１には、杆部１０１が差込める孔Ｇ４と、図示しない、止水用のパッキン、又は凸部等を有する。尚、図４は、図２−６に示した状態の拡大断面図である。
【００４０】
図中２は中間支持具で、この中間支持具２は、下部ユニット３と、この下部ユニット３に移動可能に積層された上部ユニット４とで構成されている。そして、図５、図６に示した、第一実施例の中間支持具２は、下部ユニット３を、下部に螺子３００ａを備えた管体３００と、この管体３００の上方に設けられ、かつ環状で、底部３０２を備えた部屋３０１ａ、及び部屋３０１ａの一部を塞ぐドーナツ形状の鍔片３０１ｂ、並びにこの鍔片３０１ｂに設けた孔３０１ｃでなる環状の筒体３０１と、で構成する。そして、この筒体３０１の部屋３０１ａには防振ゴム５（免震効果が期待できる弾性素材の一例である。以下、同じ）を積層して設ける。また、上部ユニット４を、前記鍔片３０１ｂの筒片３０１ｂ１に内嵌めで設けられる裾部４００ａを有する覆体４００と、この覆体４００の中心に設けた筒体４０１とで構成し、この覆体４００と前記鍔片３０１ｂの上面との間に防震ゴム６を積層する。これらの防振ゴム５、６を介して、一部の免震効果を達成する。また、この上下部ユニット３、４には、取付杆７が設けられるが、この一例では、その頭部７００が下部ユニット３の部屋３０１ａで、かつ防振ゴム５の上に設けられる。また、その杆部７０１が上部ユニット４の螺子部を備えた筒体４０１に螺入され、かつ自由端７０２が上部ユニット４の覆体４００の上方に突出するように設けられる。尚、この上下部ユニット４、５の移動（上下動）は、筒片３０１ｂ１と裾部４００ａのクリアランスで行い、また、上下部ユニット４、５の移動（左右動）は、例えば、鍔片３０１ｂに設けた緩衝用の差込み式の移動機構（図示せず）で行う構造とする。従って、前記防振ゴム５、６の素材による免震効果と、前記構造的な免震効果との併用ができ重宝する。
【００４１】
そして、この中間支持具２の上部ユニット４を構成する取付杆７には、取付金具８を介して、縦棧Ａを架承する（図７を参照）。そして、この一例では、図１の如く、支持金具８を、屋根の流れ方向に、適宜間隔で設け、この各支持金具８に、縦棧Ａの流れ方向Ｘ（屋根の流れ方向も同じ）の両端部、又は中間部を固止することで、この縦棧Ａの屋根の取付が終了する。そこで、この縦棧Ａの直交する方向（桁方向Ｙ）に、複数の横棧Ｂをそれぞれ固止することで、本発明の架台が形成される。
【００４２】
尚、図９の例では、架台１０を屋上に設置する一例であり、前記取付金具８を介して、架台１０を傾斜状態に設ける。この架台１０の傾斜は、差渡し脚１０００を介して確保する。
【００４３】
また、図１０、図１１に示した、第二実施例の中間支持具２は、前記支持杆１の代替構造であり、屋根地Ｇに前述の例と同様に、モルタルＭと接着剤Ｇ３を使用して取付けられ、かつ瓦Ｇ１の開口部より突出する側面視して略下駄形状を呈する支持瓦ベース１ａと、この支持瓦ベース１ａに設けられた長手方向の両側に溝部を備えた溝形鋼でなる取付ベース１ｂに設けられる構造であり、その好ましい一例を説明する。この中間支持具２は、下部ユニット３を、取付ベース１ｂに架承される脚部３００ａと底部３０２を備えた方形状の部屋３０１ａ、及びこの部屋３０１ａの鍔片３０１ｂ、並びにこの鍔片３０１ｂに設けた孔３０１ｃでなる角形の筒体３０１と、で構成する。そして、この筒体３０１の部屋３０１ａの底部３０２と、後述する支持板４０２、及び垂下片４０３を利用して防振ゴム５を積層等して設ける。また、上部ユニット４を、前記鍔片３０１ｂの孔３０１ｃに貫設され、かつ底部３０２に設けた防振ゴム５の上に設けた筒体４０１、及びこの筒体４０１の上下端に設け、かつ前記孔３０１ｃを跨いで設けた対の支持板４０２、４０２、並びにこの対の支持板４０２、４０２の両端にそれぞれ設けた、上下方向を向く垂下片４０３、４０３、４０３、４０３とで構成する。そして、前記筒片３０１ｂ１と垂下片４０３、及び支持板４０２で囲まれた部分に防振ゴム６を開設する。このこれらの防振ゴム５、６を介して、一部の免震効果を達成する。また、この上下部ユニット４、５の移動（上下動）は、鍔片３０１ｂと、底部３０２との間に、垂下片４０３を、間隔をおいて設けることで達成する。また、この上下部ユニット４、５の移動（左右動）は、例えば、前記底部３０２に設けた緩衝用の差込み式の移動機構（図示せず）で行う構造とする。尚、この例では、上部ユニット４の螺子部を備えた筒体４０１に、取付杆７を螺入して所定位置で固定し、かつこの取付杆７には、必要により、スペーサ１１を介して、抱込片８００を備えた取付金具８を傾斜状態に取付ける。そして、この取付金具８は、前記の如く、例えば、スペーサ１１を介して、取付けることで、屋根勾配に合致する傾斜角度で設けられる。そして、この一例では、図１の如く、支持金具８を、屋根の流れ方向Ｘに、適宜間隔で設け、この各支持金具８に、縦棧Ａの両端部、又は中間部を固止することで、この縦棧Ａの屋根の取付が終了する。そこで、続いて、この縦棧Ａの直交する方向に、複数の横棧Ｂをそれぞれ固止することで、本発明の架台が形成される。尚、図示しないが、支持瓦ベース１ａを、スペーサ１１等の適宜手段で、屋根勾配に合致する傾斜角度で設けることもできる。
【００４４】
図中１２は緊締具、１３は屋上に設けたブロックを、１４は太陽パネル、それぞれ示している。
【００４５】
尚、図１３−１、図１３−２と、図１４は、前記支持杆１の他の各例を示しており、ベース１００と杆部１０１との間に防振ゴム１５を設けた構造であり、この一例では、ベース１００に中間支持部１００ａを設け、この中間支持部１００ａと、杆部１０１の基部１０１ａとの間に防振ゴム１５を介設する構造とし、この支持杆１に免震効果を持たせる構造である。従って、中間支持具２が免震効果を持っている前述の構造では、この支持杆１を組合せることで、その免震効果は極めて優れている。尚、この支持杆１が、ベース１００と杆部１０１との間に防振ゴム１５を設けた構造では、前記中間支持具２を、免震機構を持っていない構造を採用することは可能である。そして、図１３−２において、屋根地Ｇへの設置の一例を示した拡大断面図において、ベース１００の一方側の側面板を長くし、屋根地Ｇの勾配（屋根勾配とする）に即した状態とするとともに、屋根地Ｇの表面と、ベース１００とで形成される空間に、発泡ウレタン樹脂Ｑ（発泡ウレタン樹脂Ｑは、接着性を備える構造であり、簡便性が図れる）を現場で施工し、図示の如く、勾配傾斜を確保することも可能である。また、この発泡ウレタン樹脂Ｑを現場で施工し、図示の如く、勾配傾斜を確保する設置は、図示しないが、図１４の例においても同様できる。
【００４６】
そして、図１５−１と、図１５−２においては、支持杆１に設けた杆部１０１の角度を自由に選択できる構造を提案する一例である。この一例では、ベース１００に設けた対のガイド板１０３と、このガイド板１０３に誘導され、かつベース１００に枢支部１０４を介して可動自在に設けた杆部１０１とで構成する。そして、このガイド板１０３に、抜差し自在に設けた支持棒１０５を利用して、屋根勾配に対応した傾斜位置を決定する構造である。即ち、支持棒１０５を外し、杆部１０１を、枢支部１０４を利用して可動する。この可動した位置を支持棒１０５で固定することで、この杆部１０１の傾斜角度が確保される。また、ガイド板１０３には、屋根勾配に対応した目盛１０６を設けることが有効である。この目盛１０６の採用は、他の屋根勾配の表示にも採用できる。
【００４７】
図１６と、図１７−１、図１７−２は、支持金具８、又は支持瓦ベース１ａの他の実施例を示しており、スペーサ１１を介して、この支持金具８を所定の屋根勾配に設置する構造を示している。図１６の例は、支持金具ベース８０１に、旋回方向を変更できる支持ブラケット８０２を設ける構造であり、この支持ブラケット８０２に縦棧Ａを取付ける。また、図１７−１と図１７−２の例は、支持金具ベース８０１を側面視してコ字形折曲げ鋼材で構成し、この折曲げ角度を変更して、屋根勾配に対応するか、又は前記スペーサ１１を利用して屋根勾配に対応するか、等の方法を採用する。そして、この図１６と、図１７−１、図１７−２に示した支持金具８は、屋根地Ｇ（モルタルＭ）、又は屋根地Ｇに設けたスペーサ１１に直接支持される。また、図１７−１、図１７−２に示した支持金具８は、瓦Ｇ１の頭側を跨ぐように取付けられ、その支持ブラケット８０２に設けた螺子８０３を介して、例えば、図７に示した支持金具８を取付けて、縦棧Ａを支持する。
【００４８】
続いて、太陽パネル２０の架台１０を設置する一例を説明すると、瓦Ｇ１、Ｇ２を複数枚取外し、屋根地Ｇに、接着剤Ｇ３とモルタルＭを、それぞれ前述の如く、施工した後、釘、又は接着剤Ｇ３で、複数個の支持杆１（直接、支持金具８を取付ける例等もあり得る）を取付ける。その後、瓦Ｇ１、Ｇ２を葺設し、この各支持杆１の杆部１０１を瓦Ｇ１の上に傾斜状態で突設する。また、この各杆部１０１は、地面ＧＬに対して鉛直方向Ｚに立設する。この各支持杆１の杆部１０１に免震装置を具備した中間支持具２を、それぞれ装着した後、この各中間支持具２に支持杆具８を、それぞれ固止する。また、この各中間支持具８は、地面ＧＬに対して鉛直方向Ｚに立設する。
【００４９】
そして、この中間支持具８を、前述の如く、屋根の流れ方向Ｘに、適宜間隔で設け、この各支持金具８に、縦棧Ａの両端部、又は中間部を固止することで、この縦棧Ａの屋根の取付が終了する。そこで、この縦棧Ａの直交する方向に、複数の横棧Ｂをそれぞれ固止することで、本発明の架台が形成される。また、前記支持金具８の場合には、同様に、屋根の流れ方向Ｘに、適宜間隔で設け、この各支持金具８の支持ブラケット８０２に、縦棧Ａの両端部、又は中間部を固止する。その他は前述の例に準ずる。
【００５０】
尚、前記モルタルＭと接着剤Ｇ３を利用して、支持杆１、又は支持瓦ベース１ａ、取付金具８等を設ける例を説明した。しかし、一部で説明した如く、発泡ウレタン樹脂Ｑに代替し、前記支持杆１、又は支持瓦ベース１ａ等を設けることも可能である。
【００５１】
また、支持金具８等に設ける縦棧Ａは、前述の例に限定されず、横棧Ｂも可能である。従って、この縦棧Ａと横棧Ｂの上下関係は、限定されない。
【符号の説明】
【００５２】
１            支持杆
１００        ベース
１００ａ      中間支持部
１０１        杆部
１０１ａ      基部
１０２        孔
１０３        ガイド板
１０４        枢支部
１０５        支持棒
１０６        目盛
２            中間支持具
３            下部ユニット
３００        管体
３０１        筒部
３０１ａ      部屋
３０１ｂ      鍔片
３０１ｂ１    筒片
３０１ｃ      孔
４            上部ユニット
４００        覆体
４００ａ      裾部
４０１        筒体
４０２        支持板
４０３        垂下片
５            防振ゴム
６            防振ゴム
７            取付杆
７００        頭部
７０１        杆部
７０２        自由端
８            取付金具
８００        抱込片
８０１        支持金具ベース
８０２        支持ブラケット
１０          架台
１０００      脚
１１          スペーサ
１２          緊締具
１３          ブロック
２０          太陽パネル
Ａ            縦棧
Ｂ            横棧
Ｇ            屋根地
Ｇ１          瓦
Ｇ２          瓦
Ｇ３          接着剤
Ｇ４          孔
Ｍ            モルタル
Ｘ            流れ方向
Ｙ            桁方向
Ｚ            鉛直方向
Ｑ            発泡ウレタン樹脂
ＧＬ          地面
【図１】
2011252285.tif 000003
【図２−１】
2011252285.tif 000004
【図２−２】
2011252285.tif 000005
【図２−３】
2011252285.tif 000006
【図２−４】
2011252285.tif 000007
【図２−５】
2011252285.tif 000008
【図２−６】
2011252285.tif 000009
【図３】
2011252285.tif 000010
【図４】
2011252285.tif 000011
【図５】
2011252285.tif 000012
【図６】
2011252285.tif 000013
【図７】
2011252285.tif 000014
【図８】
2011252285.tif 000015
【図９】
2011252285.tif 000016
【図１０】
2011252285.tif 000017
【図１１】
2011252285.tif 000018
【図１２】
2011252285.tif 000019
【図１３−１】
2011252285.tif 000020
【図１３−２】
2011252285.tif 000021
【図１４】
2011252285.tif 000022
【図１５−１】
2011252285.tif 000023
【図１５−２】
2011252285.tif 000024
【図１６】
2011252285.tif 000025
【図１７−１】
2011252285.tif 000026
【図１７−２】
2011252285.tif 000027